(57)【特許請求の範囲】
【請求項１】
制御回路により制御されるバスに、
アラーム検出回路と、
このアラーム検出回路がアラーム発生を検出することによりアラームが発生したことを電子メールで通知するための文字列を作成するアラーム通知メール文字列作成回路と、
このアラーム通知メール文字列作成回路と並列に、
予め設定されている時刻になったことを検出する時刻検出回路と、この時刻検出回路から入力されるデータに基づいて指定された時刻になったことを電子メールで通知するための文字列を作成する時刻通知メール文字列作成回路の直列回路を設け、
前記アラーム検出回路がアラーム発生を検出することにより測定信号および測定器の少なくともいずれかの異常検知を前記アラーム通知メール文字列作成回路が作成する文字列で電子メールにより通知するとともに、前記時刻検出回路が予め設定された時刻を検出することにより前記時刻通知メール文字列作成回路が作成する文字列で電子メールにより通知することを特徴とする測定器。
【請求項２】
前記制御回路により制御されるバスに、さらに時刻記憶回路を設け、前記時刻通知メール文字列作成回路は、電源が投入されている状態で前記時刻記憶回路に記憶される停電直前の時刻と停電復旧直後に前記時刻検出回路から得られる現在の時刻を用いて、停電が発生したことを電子メールで通知する文字列を作成することを特徴とする請求項１記載の測定器。
【発明の詳細な説明】
【０００１】
【発明の属する技術分野】
本発明は測定器に関し、詳しくは電子メール送信機能を有する測定器に関するものである。
【０００２】
【従来の技術】
図３は、従来の電子メール機能を備えた測定器の一例を示すブロック図である。入力端子１に入力される電圧などの測定信号は、測定回路２で測定データに変換される。変換された測定データはアラーム検出回路３に入力され、予め設定されたアラームレベルと比較されてアラームが発生したかが判断される。
【０００３】
アラーム検出回路３でアラームが発生したことを検出すると、アラーム通知メール文字列作成回路４はアラームが発生したことを電子メールで通知するための文字列を作成する。アラーム通知メール文字列作成回路４で作成されたアラーム通知メール文字列は、予め指定されている通知先にＳＭＴＰ（Simple  Mail  Transfer  Protocol）５を用いて通知される。
なお、電子メールの送信にあたっては、ＴＣＰ／ＩＰ６とイーサネットインターフェース７（イーサネット；登録商標）を用いる。制御回路８は、これら各部の動作を統括制御する。
【０００４】
【発明が解決しようとする課題】
ところで、このような従来の構成では、電子メールによるアラーム通知はアラームが発生した時しか送信通知されないので、ホスト側（通知先）は電子メールによるアラーム通知が無い間はアラームが発生していないと判断してしまうことになる。
【０００５】
ところが、測定器側から電子メールによるアラーム通知を行っても、送信元と通知先との間のネットワークの故障などにより、電子メールが通知先まで通知されない場合も起こりうる。
また、測定器の故障で電源が落ちてしまった場合にも、電子メールによるアラーム通知はホスト側には通知されない。
これらの場合、実際には送信元で異常が発生しているにも拘わらず、通知先には電子メールによるアラーム通知が届かないため、送信元は通知先が正常であると判断してしまう。
【０００６】
本発明は、このような従来の測定器における問題点に着目したものであって、その目的は、通知先において送信元である測定器が測定している測定データあるいは測定器本体またはネットワークでの異常発生の有無を確実に検出できる測定器を提供することにある。
【０００７】
【課題を解決するための手段】
このような目的を達成する請求項１の発明は、制御回路により制御されるバスに、アラーム検出回路と、このアラーム検出回路がアラーム発生を検出することによりアラームが発生したことを電子メールで通知するための文字列を作成するアラーム通知メール文字列作成回路と、このアラーム通知メール文字列作成回路と並列に、予め設定されている時刻になったことを検出する時刻検出回路と、この時刻検出回路から入力されるデータに基づいて指定された時刻になったことを電子メールで通知するための文字列を作成する時刻通知メール文字列作成回路の直列回路を設け、前記アラーム検出回路がアラーム発生を検出することにより測定信号および測定器の少なくともいずれかの異常検知を前記アラーム通知メール文字列作成回路が作成する文字列で電子メールにより通知するとともに、前記時刻検出回路が予め設定された時刻を検出することにより前記時刻通知メール文字列作成回路が作成する文字列で電子メールにより通知することを特徴とする測定器である。
【０００８】
請求項２の発明は、請求項１記載の測定器において、前記制御回路により制御されるバスに、さらに時刻記憶回路を設け、前記時刻通知メール文字列作成回路は、電源が投入されている状態で前記時刻記憶回路に記憶される停電直前の時刻と停電復旧直後に前記時刻検出回路から得られる現在の時刻を用いて、停電が発生したことを電子メールで通知する文字列を作成することを特徴とする。
【００１０】
測定器に予め設定された時間間隔で電子メールを送信する機能を組み込むことにより、通知先は、指定された時刻における電子メールの有無に基づいて、測定器が測定している測定データあるいは測定器本体またはネットワークでの異常発生の有無を確実に検出できる。
【００１１】
【発明の実施の形態】
以下、本発明の実施の形態を説明する。
図１は本発明に基づく測定器の具体例を示すブロック図であり、図３と共通する部分には同一の符号を付けている。図３と異なる点は、制御回路８により制御されるバスに、アラーム通知メール文字列作成回路４と並列に、時刻検出回路９と時刻通知メール文字列作成回路１０の直列回路を設けていることである。
【００１２】
図１の動作を説明する。
アラーム通知メール文字列作成回路４で作成されたアラーム通知メール文字列が、予め指定されている通知先にＳＭＴＰ５→ＴＣＰ／ＩＰ６→イーサネットインターフェース７を用いて送信される動作は、図３と同様である。
【００１３】
時刻検出回路９は、予め設定されている時刻になったことを検出して、時刻通知メール文字列作成回路１０に所定の設定されている時刻になったことを通知する。ここで、設定する時刻は、基準になる時刻および時間間隔を設定することで、例えば１時間毎や１日毎を任意に設定できる。
【００１４】
時刻通知メール文字列作成回路１０は、時刻検出回路９から入力されるデータに基づいて指定された時刻になったことを通知するための文字列を作成する。そして、このようにして作成された時刻通知メール文字列は、予め指定されている通知先に、アラーム通知メール文字列作成回路４で作成されたアラーム通知メール文字列と同様に、ＳＭＴＰ５→ＴＣＰ／ＩＰ６→イーサネットインターフェース７を用いて送信される。ここで、アラーム通知メール文字列作成回路４で作成されるアラーム通知メール文字列と時刻通知メール文字列作成回路１０で作成される時刻通知メール文字列は、互いに非同期に送信されるものとする。これら時刻検出回路９および時刻通知メール文字列作成回路１０も、制御回路８により統括制御される。
【００１５】
なお、時刻通知メール文字列には、時刻データだけではなく、必要に応じて例えばその時点における測定データを含ませるようにしてもよい。時刻通知メール文字列にその時点における測定データを含ませることで、現在の測定値を通知先でも知ることが可能になる。
【００１６】
このように予め設定された時刻になると電子メールを送信する機能を組み込むことで、測定器およびネットワークが正常に動作しているか否かを通知先側でも検出できるようになった。
すなわち、通知先は指定された時刻になっても電子メールが通知されないことにより、測定器またはネットワーク上に何らかの異常があることを確認できる。
【００１７】
図１のように構成することで、アラームが発生していないので電子メールが通知されないのか、ネットワークを含めた測定システムに異常があるため電子メールが通知されないのかを区別できるようになり、図３の構成に比べてシステムとしての信頼性は格段に高くなる。
【００１８】
図２は本発明の他の実施例であり、図１と共通する部分には同一の符号を付けている。すなわち図２では、図１の制御回路８により制御されるバスに、さらに時刻記憶回路１１を設けている。
【００１９】
図２の時刻記憶回路１１の動作を説明する。
時刻記憶回路１１は、制御回路８の制御に基づき、時刻が更新されるたびに現在の時刻を逐次更新しながら記憶する。
【００２０】
このような構成において、例えば停電が発生して復旧した場合には、時刻通知メール文字列作成回路１０は、電源が投入されている状態で時刻記憶回路１１に記憶されている停電直前の時刻と停電復旧直後に時刻検出回路９から得られる現在の時刻を用いて、停電が起こったことを電子メールで通知する文字列を作成する。そして、作成された文字列は、アラーム通知メールと同様に、予め設定された宛先に通知される。
【００２１】
これにより、通知先では停電が起こった時刻と復帰した時刻を知ることが可能になり、システムの信頼性を更に高めることができる。
【００２２】
なお、ファイル転送に用いるデータ回線はイーサネットに限るものではなく、電子メール伝送が行えるものであればよい。
【００２３】
【発明の効果】
以上説明したように、発明によれば、遠隔地に設置した測定器に、検出したアラームを電子メールで通知する機能と予め設定された時刻になると正常であることを電子メールで通知する機能とを設けることで、通知先において、測定器が測定している測定データあるいは測定器本体またはネットワークでの異常発生の有無を確実に検出できる測定器が実現でき、記録計や波形測定器などの各種の測定器に好適である。
【００２４】
また、定刻に通知先に通知する電子メールに電子メール送信時の測定値を付加することで、アラーム発生には至らない状態を一定間隔で監視することも可能になり、早期の異常検出が可能になる。
【００２５】
さらに、停電直前の時刻と停電復旧直後の時刻を用いて文字列を作成して停電が起こったことを電子メールで通知することにより、通知先において停電前後の状況を的確に把握でき、停電発生時の対応が必要な場合には迅速に適切な処置を施すことができる。
【図面の簡単な説明】
【図１】本発明の一実施例を示すブロック図である。
【図２】本発明の他の実施例を示すブロック図である。
【図３】従来の測定器の一例を示すブロック図である。
【符号の説明】
１    入力端子
２    測定回路
３    アラーム検出回路
４    アラーム通知メール文字列作成回路
５    ＳＭＴＰ
６    ＴＣＰ／ＩＰ
７    イーサネットインターフェース
８    制御回路
９    時刻検出回路
１０    時刻通知メール文字列作成回路
１１    時刻記憶回路
【図１】
0004048408.tif 000002
【図２】
0004048408.tif 000003
【図３】
0004048408.tif 000004